(57)【要約】【課題】石材が施工部位より剥離したり落下したりすることを抑制できると共に、張設作業も容易化できる天然石製装飾材およびその製造方法を提供する。【解決手段】本発明の天然石製装飾材１は、表面２Ａに対して鋭角を形成する方向に延びる側面２ａを有した第１石材２と、表面３Ａに対して鈍角を形成する方向に延びる側面３ａを有した第２石材３とを有し、第１石材２と第２石材３とが当該側面２ａ，３ａ同士で接合されると共に、第２石材３が第１石材２より裏面３Ｂ側に突出して係止部４が形成されている。この係止部４が斜め方向に延びているため、施工部位に引っ掛けることができ、剥離したり落下したりすることを抑制できると共に、張設作業がより容易なものとなる。【選択図】  図２
2004353170.tif 000002
【特許請求の範囲】
【請求項１】
表面に対して鋭角を形成する方向に延びる側面を有した第１石材と、表面に対して鈍角を形成する方向に延びる側面を有した第２石材とを有し、前記第１石材と前記第２石材とが当該側面同士で接合されると共に、前記第２石材が前記第１石材より裏面側に突出して係止部が形成されていることを特徴とする天然石製装飾材。
【請求項２】
表面に対して鋭角を形成する方向に延びる側面を有した第１石材と、表面に対して鈍角を形成する方向に延びる側面を有した第２石材とを加工する工程と、前記第１石材および前記第２石材を当該側面同士で接合可能、かつ前記第２石材が前記第１石材より裏面側に突出して係止部が形成されるように配列する工程と、テープ部材を表面側に貼着する工程と、前記テープ部材を貼着した状態で前記第１石材と前記第２石材間を若干離間させ接着剤を充填する工程と、前記テープ部材を剥離する工程とを有することを特徴とする天然石製装飾材の製造方法。
【発明の詳細な説明】
【０００１】
【発明の属する技術分野】
本発明は、壁面、床面或いは天井面等を構成する天然石製装飾材およびその製造方法に関する。
【０００２】
【従来の技術】
天然石は、その堅牢な性質に加え、重厚な質感および深みが高級感を現出するため、壁材、床材など建築物の内装材、外装材として好まれ、また玄関、庭、歩道などの敷石としても広く使用されている。
【０００３】
【発明が解決しようとする課題】
ところで、天然石を装飾材として使用する場合、施工部位から剥離したり落下しないことが重要である。特に、天然石（石材）は、他の装飾材に比して重量があるため、その点に対する配慮が高度に要求される。
しかし、天然石に、例えばセラミックタイルのように、係止構造となる裏足を任意の形態に成形することは通常困難である。それに伴って、他の装飾材に比して張設作業も困難であり使用を敬遠される一要因にもなっている。
【０００４】
そこで、本発明の課題は、石材が施工部位より剥離したり落下したりすることを抑制できると共に、張設作業も容易化できる天然石製装飾材およびその製造方法を提供することにある。
【０００５】
【課題を解決するための手段】
上記課題を解決するものは、表面に対して鋭角を形成する方向に延びる側面を有した第１石材と、表面に対して鈍角を形成する方向に延びる側面を有した第２石材とを有し、前記第１石材と前記第２石材とが当該側面同士で接合されると共に、前記第２石材が前記第１石材より裏面側に突出して係止部が形成されていることを特徴とする天然石製装飾材である。
【０００６】
前記第２石材は、前記第１石材より肉厚な石材にて構成されていることが好ましい。前記天然石製装飾材は、表面側が面一に形成されていることが好ましい。前記天然石製装飾材は、前記第１石材と前記第２石材とが交互に配列接合されて板状体に形成されていることが好ましい。前記天然石製装飾材は、交差する方向に突出する２つの係止部を有していることが好ましい。
【０００７】
また、上記課題を解決するものは、表面に対して鋭角を形成する方向に延びる側面を有した第１石材と、表面に対して鈍角を形成する方向に延びる側面を有した第２石材とを加工する工程と、前記第１石材および前記第２石材を当該側面同士で接合可能、かつ前記第２石材が前記第１石材より裏面側に突出して係止部が形成されるように配列する工程と、テープ部材を表面側に貼着する工程と、前記テープ部材を貼着した状態で前記第１石材と前記第２石材間を若干離間させ接着剤を充填する工程と、前記テープ部材を剥離する工程とを有することを特徴とする天然石製装飾材の製造方法である。
【０００８】
【作用】
本発明の天然石製装飾材１は、表面２Ａに対して鋭角を形成する方向に延びる側面２ａを有した第１石材２と、表面３Ｂに対して鈍角を形成する方向に延びる側面３ａを有した第２石材３とを有し、第１石材２と第２石材３とが当該側面２ａ，３ａ同士で接合されると共に、第２石材３が第１石材２より裏面３Ｂ側に突出して係止部４が形成されている。この係止部４が表面に対して斜め方向に延在しているため、施工部位に引っ掛けることができ、石材が剥離したり落下したりすることが抑制されると共に、張設作業がより容易化される。
【０００９】
【発明の実施の形態】
以下、本発明の天然石製装飾材を図面に示した一実施例を用いて説明する。
図１は本発明の天然石製装飾材の一実施例の平面図であり、図２は図１のＡ−Ａ線拡大縦断面図であり、図３は本発明の天然石製装飾材の一施工例を示した縦断面図である。
【００１０】
この実施例の天然石製装飾材１は、図１および図２に示すように、表面２Ａに対して鋭角を形成する方向に延びる側面２ａを有した第１石材２と、表面３Ａに対して鈍角を形成する方向に延びる側面３ａを有した第２石材３とを有し、第１石材２と第２石材３とが当該側面２ａ，３ａ同士で接合されると共に、第２石材３が第１石材２より裏面３Ｂ側に突出して係止部４が形成されている。以下、各構成について順次詳述する。
【００１１】
この実施例の天然石製装飾材１は、図１に示すように、長尺状板材である第１石材２と第２石材３とが交互に配列接合されて平面視矩形の板状体に形成されている。
【００１２】
第１石材２は、表面２Ａに対して鋭角を形成する方向に延びる側面２ａを有した石材であり、この実施例では、５枚の板状石材のうち、図２に示した３枚の石材が第１石材に該当する。
【００１３】
第１石材２は、表面２Ａに対して鋭角を形成する方向に延びる側面２ａを、第２石材３との接合面である少なくとも一側面に有していればよく、図２中、上下端に配列された第１石材２は、第２石材３との接合面側に、表面２Ａに対して鋭角を形成する方向に延びる側面２ａを有しており、他方、中央に配列された第１石材２は、対向する側面に第２石材３との接合面を有するため、表面２Ａに対して鋭角を形成する方向に延びる側面２ａを、対向する側面にそれぞれ有している。
【００１４】
表面２Ａに対して鋭角を形成するとは、表面２Ａと側面２ｂとが形成する角度が９０°未満であることを意味するが、３０〜６０°程度が好ましく、この実施例のように４５°程度がより好ましい。この程度の角度が、より効果的な係止部４を形成できるからである。
【００１５】
第２石材３は、表面に対して鈍角を形成する方向に延びる側面３ａを有した石材であり、この実施例では、５枚の板状石材のうち、図２に示した２枚の石材が第２石材に該当する。
【００１６】
第２石材３は、表面３Ａに対して鋭角を形成する方向に延びる側面３ａを、第１石材２との接合面である少なくとも一側面に有していればよいが、この実施例の第２石材３は、対向する２つの側面においてそれぞれ第１石材２と接合するため、対向する側面が、それぞれ表面３Ａに対して鋭角を形成する方向に延びる側面３ａとなっている。
【００１７】
表面３Ａに対して鈍角を形成するとは、表面３Ａと側面３ａとが形成する角度が９０°を越え１８０°未満であることを意味するが、１２０〜１５０°程度が好ましく、この実施例のように１３５°程度がより好ましい。この程度の角度が、より効果的な係止部４を形成できるからである。
【００１８】
なお、第１石材２の側面２ａとその表面２Ａとが形成する角度（鋭角）と、第２石材３の側面３ａとその表面３Ａとが形成する角度（鈍角）との合計が１８０°であれば、この実施例のように、第１石材２と第２石材３とが側面２ａと側面３ａとで接合されることにより平板状の天然石製装飾材が形成されるが、本発明の天然石製装飾材はこれに限定されるものではなく、施工面が湾曲した部位であれば、１８０°以外で、第１石材２と第２石材３とが接合され屈曲した部位を有するものも本発明の範疇に包含される。
【００１９】
また、この実施例の天然石製装飾材１は、第１石材２と第２石材３とが交互に配列接合されているが、これに限定されるものではなく、表面２Ａに対して鋭角を形成する方向に延びる側面２ａを有した第１石材２と、表面３Ａに対して鈍角を形成する方向に延びる側面３ａを有した第２石材３とを有し、第１石材２と第２石材３とが当該側面２ａ，３ａ同士で接合された部位を一箇所でも有するものは広く本発明の範疇に包含される。
【００２０】
接合部５は、第１石材２の側面２ａと第２石材３の側面３ａ等側面同士の接合部位であり、側面間に接着剤を充填硬化させることにより形成されている。
【００２１】
接合部５の形成に使用される接着剤としては、第１石材２と第２石材３とが分離しない程度の固着力を有するものであればどのようなものでもよいが、比較的粘度の低い（５，０００ｃｐｓ〜２０，０００ｃｐｓ程度、この実施例では１３，０００ｃｐｓ）エポキシ樹脂製接着剤が好適に使用できる。
【００２２】
そして、第２石材３は、第１石材２より裏面３Ｂ側に突出して係止部４を形成している。この係止部４は、施工部位に係止するための部位であり、本発明の天然石製装飾材は、裏面側にこのような係止部を有するため、施工部位に引っ掛けることができ、特に引っ掛け工法に有効であり、石材が剥離したり落下したりすることを抑制できると共に、張設作業をより容易化できる。
【００２３】
この実施例の係止部４は、第２石材３が第１石材２より肉厚な石材にて形成されて裏面３Ｂ側に突出することによりその隅部にて構成されている。この構造が係止部形成上、簡易でかつ強度的にも好ましいが、係止部付近のみが突出したものも本発明の範疇に包含される。
【００２４】
また、係止部４は、斜め方向、具体的には、隣接する第１石材２の裏面２Ｂと第２石材３の側面３ａとが形成する角度が鋭角となることにより係止可能なものとなる。
【００２５】
この実施例では、隣接する第１石材２の裏面２Ｂと第２石材３の側面３ａとが形成する角度は４５°となっている。ただし、本発明の天然石製装飾材は、隣接する第１石材２の裏面２Ｂと第２石材３の側面３ａとが形成する角度が４５°であるものに限定されるものではなく鋭角であればよい。好ましくは、３０〜６０°である。
【００２６】
また、本発明の天然石製装飾材は、この実施例のように、交差する方向に突出する２つの係止部４（図２中、上方の第２石材３が下部にて形成する係止部４と、下方の第２石材３が上部にて形成する係止部４）を有していることが好ましい。これによって、両側或いは上下から施工部位に引っ掛け或いは係合（嵌合）させることができ、剥離したり落下したりすることをより抑制できる。また、このような係止構造は特に天井面の形成により効果的である。
【００２７】
なお、この実施例の天然石製装飾材１は、第１石材２の表面２Ａと第２石材の表面３Ａが面一となるように形成されているが、これに限定されるものではなく、いずれかが表面側に突出するなどして段差があるように形成されたものも本発明の範疇に包含される。
【００２８】
また、本発明の天然石製装飾材は、複数種の天然石から構成されていてもよく、同種の石材であっても色調の異なる天然石を組み合わせて構成されていてもよい。使用される天然石としては、例えば白御影、桜御影、赤御影、黒御影などの御影石、蛇紋岩、大理石、その他の花崗岩、深成岩、堆積岩などが挙げられるが、御影石または大理石が好適である。
【００２９】
さらに、本発明の天然石製装飾材の表面には、撥水性を付与するための表面処理がなされ、表面保護層を形成していてもよい。この表面処理方法としては、シリコーン或いはエタノール等を主成分とする防水性塗布剤或いは疎水性塗布剤を塗布する方法が好適である。
【００３０】
つぎに、本発明の天然石製装飾材の製造方法について、上述した実施例の天然石製装飾材１を用いて説明する。
この実施例の天然石製装飾材１は、表面２Ａに対して鋭角を形成する方向に延びる側面２ａを有した第１石材２と、表面３Ａに対して鈍角を形成する方向に延びる側面３ａを有した第２石材３とを加工する工程と、第１石材２および第２石材の表面２Ａ，３Ａを研磨する工程と、第１石材２および第２石材３を当該側面２ａ，３ａ同士で接合可能、かつ第２石材３が第１石材２より裏面３Ａ側に突出して係止部４が形成されるように配列する工程と、テープ部材を表面２Ａ，３Ａ側に貼着する工程と、テープ部材を貼着した状態で第１石材２と第２石材３間を若干離間させ接着剤を充填する工程と、乾燥室に留置する工程と、テープ部材を剥離する工程とを経て作製される。以下、各工程について順次説明する。
【００３１】
表面２Ａに対して鋭角を形成する方向に延びる側面２ａを有した第１石材２と、表面３Ａに対して鈍角を形成する方向に延びる側面３ａを有した第２石材３とを加工する工程では、天然石を所要の形状に切断する。この実施例では、図１および図２に示した形状の第１石材２を３枚と第２石材３を２枚切断形成した。
【００３２】
第１石材２および第２石材の表面２Ａ，３Ａを研磨する工程では、粗研ぎ、中研ぎ、仕上げ研ぎ、つや出しの４段階を順次行うことが好ましい。ただし、これらの研磨は必ずしもすべて行う必要はなく、適宜必要な研磨方法にて表面処理を行えばよい。
【００３３】
第１石材２および第２石材３を当該側面２ａ，３ａ同士で接合可能、かつ第２石材３が第１石材２より裏面３Ａ側に突出して係止部４が形成されるように配列する工程では、第１石材２および第２石材３等を組み合わせて所要の形態に配列する。この実施例では、図１および図２に示すように、第１石材２および第２石材３を配列して平面視矩形に形成した。なお、この配列工程においては、型枠を使用すればより容易に配列可能である。
【００３４】
テープ部材を表面に貼着する工程では、テープ部材が第１石材２および第２石材３の表面２Ａ，３Ａの全面を被覆するように貼付されることが好ましい。これにより、テープ部材が第１石材２および第２石材３を仮連結する機能を奏する共に表面を保護して作製中に表面に損傷を与えたり、接着剤が付着することを防止できる。
【００３５】
テープ部材としては、第１石材２および第２石材３等の重量によって容易に切断しない程度の強度とそれらの表面から容易に剥離しない程度の粘着力を有するものであればどのようなものでもよく、さらに接着層が剥離後にそれらの表面に残存しないものが好ましい。テープ部材としては、いわゆるマスキングテープであればよく、例えばポリプロピレン等の合成樹脂製粘着テープ等が好適に使用できる。
【００３６】
テープ部材を貼着した状態で第１石材２および第２石材３間を若干離間させ接着剤を充填する工程では、第１石材２および第２石材３の裏面２Ａ，３Ａ側において、第１石材２および第２石材３との間隙を若干離間させ、離間させた部位にそれぞれ接着剤を充填する。このような方法によることで接合部５の形成をより容易に行うことができる。そして、接着剤を充填した後は、第１石材２および第２石材３との間隙を元の状態に戻す。
【００３７】
乾燥室に留置する工程では、約１０分程度乾燥室に留置することが好ましい。これにより接合部５を短時間で硬化させることができる。
【００３８】
テープ部材を剥離する工程では、表面側を上方にして一端部側より剥離する。以上の工程を経て作製することにより、本発明の天然石製装飾材１をより容易に作製できる。
【００３９】
つぎに、天然石製装飾材１の施工例を図３を用いて説明する。
この施工例は、壁面に天然石製装飾材１を取り付けた例であり、構造躯体４０の外面に防水紙（図示せず）を介してベースボード３０が取り付けられて下地が構成されている。このベースボード３０の外面側には、上下端がそれぞれ斜め方向に延びた突出部３１が一体成形されており、この突出部３１に係止部４が係合するようにして天然石製装飾材１を取り付けられている。具体的には、天然石製装飾材１を横方向（図３中手前側から奥側に向かって、或いは奥側から手前側）に向かってスライドさせるようにして取り付けることにより、突出部３１と係止部４とが嵌合されている。この状態では、突出部３１の上端部または下端部と係止部４とが係合しているため、天然石製装飾材１またはそれを形成する石材が剥離したり落下したりすることが抑制されると共に、天然石製装飾材１の取り付けも上述したスライド動作だけであり極めて容易なものとなる。
【００４０】
なお、上記施工例は壁面への取り付けに関するものであるが、本発明の天然石製装飾材は、壁面装飾材に限定されるものではなく、例えば床面、天井面などの装飾材としても使用可能である。また、本発明の天然石製装飾材を取り付ける下地材としては、上述したベースボードに限定されるものではなく、係止部と係合可能な係合部或いは係合部材を有するものであればどのようなものでもよく、例えば、アルミ板に吊り金具などを取り付けた下地構造などへも取り付け可能である。
【００４１】
さらに、図４に示した本発明の天然石製装飾材の他の実施例について説明する。
この実施例の天然石製装飾材１０と前述した天然石製装飾材１との基本的な相違は、天然石製装飾材１の第２石材３が両側（図２中上下端）に２つの係止部４を有しているのに対して、天然石製装飾材１０の第２石材１３は一つの係止部１４（具体的には、図４中第２石材１３の下端部）を有している点である。すなわち、本発明の天然石製装飾材には、一つの傾斜方向にのみ延在する係止部を有するものも含まれる。
【００４２】
また、天然石製装飾材１は断面視台形の石材の組み合わせからなるが、この実施例の天然石製装飾材１０のように、断面視平行四辺形の石材の組み合わせからなるものも本発明の範疇に包含される。さらに、天然石製装飾材１０は、第１石材にも第２石材にも該当しない石材１５を有しているが、そのようなものも本発明の天然石製装飾材の範疇に包含される。
【００４３】
【発明の効果】
請求項１に記載した発明によれば、石材が施工部位より剥離したり落下したりすることを抑制できると共に、張設作業を容易化できる。
請求項２に記載した発明によれば、上記請求項１の効果を奏する天然石製装飾材をより容易に作製できる。
【図面の簡単な説明】
【図１】本発明の天然石製装飾材の一実施例の平面図である。
【図２】図１のＡ−Ａ線拡大縦断面図である。
【図３】本発明の天然石製装飾材の一施工例を示した縦断面図である。
【図４】本発明の天然石製装飾材の他の実施例の縦断面図である。
【符号の説明】
１  天然石製装飾材
２  第１石材
３  第２石材
４  係止部
５  接合部
【図１】
2004353170.tif 000003
【図２】
2004353170.tif 000004
【図３】
2004353170.tif 000005
【図４】
2004353170.tif 000006